(57)【要約】【課題】空気調整室内の気流の乱れを抑制することにより、大風量の空気を供給する場合でも温度および湿度を精度よく調整することができる空気調和機を提供すること。【解決手段】空気調和機１は矩形箱状の空気調整室１４を備える。空気調整室１４の前面部分５ａには空気吸込口２が形成され、背面部分６ａ側には連通口１６（空気吹出口）が形成されている。空気調整室１４内には前面部分５ａ側から蒸発器２１、加熱器２２、加湿器２３が配置されており、加熱器２２と加湿器２３との間の側面部分７ａ、８ａには仕切り板２４ａ、２４ｂが取り付けられている。空気吸込口２から勢いよく吸い込まれた空気が背面部分６ａに衝突した後に側面部分７ａ、８ａに沿って逆流しようとすると、この逆流は仕切り板２４ａ、２４ｂによって阻まれる。加湿器２３を通過した空気が再び加熱器２２、蒸発器２１に戻ることを防止できるので、温度、湿度の制御精度が向上する。【選択図】図２
2009063241.tif 000002
【特許請求の範囲】
【請求項１】
矩形箱状の空気調整室の前面側に形成されている空気吸込口から吸い込まれた空気を、この空気調整室内に配置されている温度調整部を経由して流して、当該空気の温度を調整し、調整後の空気を前記空気調整室の背面側に形成されている空気吹出口から吹き出す空気調和機において、
前記空気調整室内における前記温度調整部と前記空気吹出口の間の空気通路幅を絞っている仕切り部材を有し、
この仕切り部材は、前記空気調整室における少なくとも一方の側面に沿って形成されていることを特徴とする空気調和機。
【請求項２】
請求項１に記載の空気調和機において、
前記空気調整室内における前記温度調整部と前記空気吹出口との間には、湿度を調整するために温度調整後の空気を経由させる湿度調整部を有しており、
前記仕切り部材は、前記温度調整部と前記湿度調整部との間の前記空気流路幅を絞っていることを特徴とする空気調和機。
【請求項３】
請求項１または２に記載の空気調和機において、
前記仕切り部材は、前記空気調整室の底面から天井面に至る長さ寸法を備えていることを特徴とする空気調和機。
【請求項４】
請求項１ないし３のうちのいずれかの項に記載の空気調和機において、
前記仕切り部材は、前記側面に所定の角度で取り付けられている平板であることを特徴とする空気調和機。
【請求項５】
請求項１ないし３のうちのいずれかの項に記載の空気調和機において、
前記仕切り部材は、空気の流れ方向に直交する方向に対して下流側に傾斜している斜面を備えていることを特徴とする空気調和機。
【請求項６】
請求項１ないし３のうちのいずれかの項に記載の空気調和機において、
前記仕切り部材は、空気の流れ方向に直交する方向に対して上流側に傾斜している斜面を備えていることを特徴とする空気調和機。
【請求項７】
請求項１ないし６のうちのいずれかの項に記載の空気調和機において、
前記空気吹出口は前記空気調整室の天井部分に形成されており、
前記仕切り部材による空気流路幅の絞り量は、前記空気調整室の底面側よりも天井面側の方が多いことを特徴とする空気調和機。
【請求項８】
請求項１ないし７のうちのいずれかの項に記載の空気調和機において、
前記温度調整部は、前記前面部分に形成されている前記空気吸込口に対峙する位置に配置された蒸発器と、この蒸発器の前記背面側に配置したヒータとを備えており、
前記湿度調整部は、前記底面に配置した加湿水槽と、この加湿水槽に貯留させた水を加熱するための電熱ヒータを有する加湿器を備えていることを特徴とする空気調和機。
【発明の詳細な説明】
【技術分野】
【０００１】
本発明は、空気吸込口から空気調整室内に吸い込んだ空気の少なくとも温度を調整して、空気吹出口から供給する空気調和機に関する。更に詳しくは、空気調整室内の気流の乱れを抑制することにより、大風量の空気を供給する場合であっても温度等を精度よく調整することができる空気調和機に関する。
【背景技術】
【０００２】
空気調和機は空気吸込口から矩形箱状の空気調整室に吸い込まれた空気の少なくとも温度を調整して空気吹出口から吹き出すものである。空気調整室内には、蒸発器および加熱器を備える温度調整部が配置されており、空気吸込口から吸い込まれた空気はこの温度調整部を経由して流されることにより温度調整されるようになっている。
【０００３】
また、空気調和機としては、温度調整部とともに、温度調整後の空気の湿度を調整するための湿度調整部を備えるものがある。湿度調整部は加湿器を備えており、空気調整室内における温度調整部と空気吹出口との間に配置されている。空気吸込口から吸い込まれた空気は温度調整部を経由した後に湿度調整部を経由するように流されて、温度および湿度が調整される。このような空気調和機は、例えば、特許文献１、２に記載されている。
【０００４】
特許文献１、２の空気調和機では、空気吸込口は矩形箱状の空気調整室の前板に形成されており、空気吹出口は空気調整室の背板側に形成されている。空気調整室内には、床板から天井板に向かって突出して空気調整室内を部分的に仕切る第１気流案内板と、第１気流案内板よりも背板側において天井板から床板に向かって突出して空気調整室内を部分的に仕切る第２気流案内板が設けられており、空気吸込口から吸い込まれた空気は、第１および第２の気流案内板より上下に蛇行させられながら、温度調整部および湿度調整部を経由して流れる。
【特許文献１】特開平１０−２８１４９７号公報
【特許文献２】特開平１０−２８８３５５号公報
【発明の開示】
【発明が解決しようとする課題】
【０００５】
上記の空気調和機では、空気調整室内に上下から第１および第２気流案内板を互い違いに配置して空気流路を蛇行するように構成しているので、温度や湿度が調整された後の空気が逆流して、それらの調整前の空気と入り乱れてしまうことがない。従って、温度および湿度を精度よく制御することができる。
【０００６】
しかし、空気流路を蛇行させた場合には、流路面積が狭くなり、流路抵抗が増加するので、大流量の空気を流通させることが困難である。
【０００７】
ここで、大風量の要求に対応するためにこれらの気流案内板を省略すると、空気調整室が矩形箱状をしているので、空気吸込口から吸い込まれる空気は背板に勢いよく衝突し、衝突した空気が左右の側板に沿って再び前板側に戻る大きな渦流が形成されるようになる。こうなると、空気調整室内を前板から背板側へと向かう空気の流れは大きく乱されるので、温度や湿度が調整された後の空気とこれらが調整される前の空気とが入り乱れてしまい、温度や湿度の制御精度が低下してしまうという問題がある。
【０００８】
本発明の課題は、このような点に鑑みて、空気調整室内の気流の乱れを抑制することにより、大流量の空気を流通させる場合でも温度等を精度よく調整することができる空気調和機を提供することにある。
【課題を解決するための手段】
【０００９】
上記の課題を解決するために、本発明は、
矩形箱状の空気調整室の前面側に形成されている空気吸込口から吸い込まれた空気を、この空気調整室内に配置されている温度調整部を経由して流して、当該空気の温度を調整し、調整後の空気を前記空気調整室の背面側に形成されている空気吹出口から吹き出す空気調和機において、
前記空気調整室内における前記温度調整部と前記空気吹出口の間の空気通路幅を絞っている仕切り部材を有し、
この仕切り部材は、前記空気調整室における少なくとも一方の側面に沿って形成されていることを特徴とする。
【００１０】
本発明によれば、空気吸込口から勢いよく吸い込まれた空気が空気調整室の背面に衝突した後に側面に沿って逆流しようとすると、仕切り部材によってその逆流は阻止される。従って、空気調整室内において大きな渦流が形成されることがなく、温度調整部を経由して空気吹出口に向かう空気の流れが乱されることが防止あるいは抑制される。この結果、温度調整後の空気が温度調整前の空気と入り混じってしまうことを抑制できるので、大風量の空気を供給する場合においても温度の制御精度を良好に維持できる。
【００１１】
本発明において、前記空気調整室内における前記温度調整部と前記空気吹出口との間には、湿度を調整するために温度調整後の空気を経由させる湿度調整部を有しており、前記仕切り部材は、前記温度調整部と前記湿度調整部との間の前記空気流路幅を絞っていることが望ましい。このようにすれば、湿度調整後の空気が背面に衝突した後に側面に沿って温度調整部の側に逆流しようとすると、その逆流は仕切り部材によって阻止される。従って、湿度調整後の空気が温度および湿度調整前の空気と入り混じってしまうことを防止あるいは抑制できる。この結果、大風量の空気を供給する場合においても、温度および湿度の制御精度を良好に維持できる。
【００１２】
本発明において、空気調整室の側面に沿って逆流しようとする空気の流れを阻むためには、前記仕切り部材は、前記空気調整室の底面から天井面に至る長さ寸法を備えていることが望ましい。
【００１３】
ここで、このような仕切り部材を簡易に構成するためには、前記仕切り部材は、前記側面に所定の角度で取り付けられている平板であることが望ましい。
【００１４】
また、温度調整された後の空気が仕切り部材に正面衝突することにより空気調整室内の気流が乱れてしまうことを回避するためには、前記仕切り部材は、空気の流れ方向に直交する方向に対して下流側に傾斜している斜面を備えていることが望ましい。
【００１５】
また、空気調整室の側面に沿って逆流しようとする空気を、空気調整室の幅方向の中央へ導くためには、前記仕切り部材は、空気の流れ方向に直交する方向に対して上流側に傾斜している斜面を備えていることが望ましい。
【００１６】
ここで、空気吹出口が空気調整室の天井面部分に形成されている場合には、背面の天井面側の部位に衝突する空気の勢いが強くなり、空気調整室の天井面側において渦流が形成され易くなる。このような天井面側の渦流の形成を効果的に抑止するためには、前記空気吹出口は前記空気調整室の天井部分に形成されており、前記仕切り部材による空気流路幅の絞り量は、前記空気調整室の底面側よりも天井面側の方が多いことが望ましい。
【００１７】
なお、前記温度調整部は、前記前面部分に形成されている前記空気吸込口に対峙する位置に配置された蒸発器と、この蒸発器の前記背面側に配置したヒータとを備えるものとすることができる。また、前記湿度調整部は、前記底面に配置した加湿水槽と、この加湿水槽に貯留させた水を加熱するための電熱ヒータを有する加湿器を備えるものとすることができる。
【発明の効果】
【００１８】
本発明によれば、空気吸込口から矩形箱状の空気調整室に勢いよく吸い込まれた空気が背面に衝突した後に側面に沿って逆流しようとすると、仕切り部材によって阻止される。従って、空気調整室内において大きな渦流が形成されることがなく、温度調整部を経由して空気吹出口に向かう空気の流れが乱されることが防止あるいは抑制される。この結果、温度調整された後の空気が温度調整前の空気と入り混じってしまうことを抑制できるので、大風量の空気を供給する場合においても温度の制御精度を良好に維持できる。
【発明を実施するための最良の形態】
【００１９】
以下に、図面を参照して本発明を適用した空気調和機の実施の形態を説明する。図１は空気調和機の斜視図であり、一方の側板を取り外して内部の構造が分かるようにしてある。
【００２０】
空気調和機１は、空気吸込口２から吸込んだ空気の温度および湿度を調整して所望の温度および湿度を備えた空気を空気供給口３から供給するものである。図１に示すように、空気調和機１は直方体形状の筺体４を備えており、この筐体４は、前板５、背板６、左右の側板７、８、天井板９、および底板１０によって規定されている。筐体４の内部は上下２枚の区画板１１、１２によって３つの矩形箱状の部屋に区画されている。
【００２１】
上段の部屋は送風機が設置されている送風機室１３となっている。中段の部屋は、空気吸込口２から吸込んだ空気の温度および湿度を調整するための空気調整室１４となっている。下段の部屋は機械類が配置されている機械室１５となっている。なお、以下の説明では、前板５の内側表面のうち空気調整室１４に面している部分を前面部分５ａ、背板６の内側表面のうち空気調整室１４に面している部分を背面部分６ａ、左右の側板７、８の内側表面のうち空気調整室１４に面している部分を左右の側面部分７ａ、８ａ、上側の区画板１１の空気調整室１４に面している部分を天井面１１ａ、下側の区画板１２の空気調整室１４に面している部分を底面１２ａという。
【００２２】
空気吸込口２は前板５に形成されており、空気供給口３は天井板９に形成されている。送風機室１３および空気調整室１４を仕切っている区画板１１の背面部分６ａに近い部位には送風機室１３と空気調整室１４とを連通させる連通口（空気吹出口）１６が形成されている。
【００２３】
送風機室１３には送風機としてシロッコファン２０が配置されている。空気調整室１４には前面部分５ａから背面部分６ａに向かって温度調整部と湿度調整部とがこの順番で配置されている。温度調整部は蒸発器２１および加熱器２２を備えており、湿度調整部は加湿器２３を備えている。温度調整部と湿度調整部との間にはこの空気調整室１４の内部を左右の両側から部分的に仕切っている仕切り部材２４が取り付けられている。加湿器２３と背面部分６ａとの間には封鎖板２５が取り付けられている。機械室１５には制御装置２６、凝縮器２７、圧縮器２８などが配置されている。
【００２４】
シロッコファン２０が動作すると送風機室１３および空気調整室１４の内部に負圧が発生して空気吸込口２から空気が吸い込まれる。吸い込まれた空気は蒸発器２１によって露点温度まで冷却されて除湿され、加熱器２２によって目的とする温度に温められる。その後、加湿器２３によって目的とする湿度に加湿される。温度および湿度が調整された空気は連通口１６を介して空気供給口３に至り、そこから外部へ供給される。
【００２５】
蒸発器２１は、前面部分５ａにおける空気吸込口２と対峙しており、この空気吸込口２の全体を覆うように設置されている。蒸発器２１は狭い間隔で並べたプレート状のフィンを冷却管が貫通する構成のものであり、冷却管には冷媒が蒸発しながら流れている。空気吸込口２から吸い込まれた空気はこのフィンの間を通過する間に冷媒との間で熱交換が行われて、冷却されて、除湿される。
【００２６】
加熱器２２は、フィンを備える電熱ヒータである。加熱器２２は空気供給口３の近傍に設置された温度湿度センサ２９からの温度信号に基づいて、制御装置２６によって制御されている。
【００２７】
加湿器２３は、水蒸気を発生させるための扁平な加湿水槽３０を備えており、この加湿水槽３０が底面１２ａの背面部分６ａに近い部位に載置されている。加湿水槽３０の上端開口部３０ａは矩形であり、その上端開口部３０ａの左右の開口縁３０ｂ、３０ｃは左右の側面部分７ａ、８ａと平行になっている。また、加湿水槽３０は空気調整室１４内の幅方向の中央位置に配置されている。加湿水槽３０の内部には電熱ヒータ３１が設けられている。電熱ヒータ３１は温度湿度センサ２９からの湿度信号に基づいて制御装置２６によって制御されており、電熱ヒータ３１が駆動されると、そこに貯留されている純水を加熱して水蒸気を発生させて、加湿する。ここで、純水を加湿水槽３０に供給するための給水管３２が、筐体４の外部から機械室１５を介して、底面１２ａを貫通して、加湿水槽３０の内側まで配管されている。
【００２８】
次に、仕切り部材２４は、矩形平板形状の左右２枚の仕切り板２４ａ、２４ｂからなる。各仕切り板２４ａ、２４ｂは底面１２ａおよび天井面１１ａと直交するとともに、左右の側面部分７ａ、８ａとも直交するように、左右の側面部分７ａ、８ａにそれぞれ取り付けられている。右側の縦仕切り板２４ａは加湿水槽３０の右側の開口縁３０ｂよりも空気調整室１４の内側まで突出しており、左側の縦仕切り部分２４ｂは加湿水槽３０の左側の開口縁３０ｃよりも空気調整室１４の内側まで突出している。
【００２９】
封鎖板２５は、矩形の平板であり、背面部分６ａと加湿水槽３０の背面部分６ａ側の端面との間に形成されている略直方体形状の空間Ａを上から封鎖するように取り付けられている。封鎖板２５の左右の両端は左右の側面部分７ａ、８ａに当接している。
【００３０】
（仕切り部材の機能）
図２は仕切り部材の機能を説明するための模式図である。図２（ａ）は空気調整室の内部の構成を模式的に示す斜視図であり、図２（ｂ）は図２（ａ）の概略水平断面図である。左側の図は仕切り部を備えていない状態であり、右側の図は仕切り部を備えている状態を示している。図中の矢印は空気の流れを示している。  
【００３１】
仕切り部材２４を備えていない場合には、図２（ｂ）の左側の図に示すように、空気吸込口２から勢いよく吸い込まれた空気の一部は背面部分６ａに衝突した後に、左右の側面部分７ａ、８ａに沿って前面部分５ａの側に戻り、大きな渦流を形成してしまう。このため、空気の一部は逆流して蒸発器２１および加熱器２２まで達する。
【００３２】
これに対して、図２（ｂ）の右側の図に示すように、仕切り部材２４が設けられている場合には、まず、各仕切り板２４ａ、２４ｂによって温度調整部と湿度調整部との間の空気通路幅が絞られているので、温度調整部を通過した空気は加湿水槽３０の上方を通過するように空気調整室１４の内側に向って案内される。
【００３３】
また、温度調整部を通過して背面部分６ａに衝突した後に、左右の側面部分７ａ、８ａに沿って前面部分５ａの側に戻ろうとする空気は、各仕切り板２４ａ、２４ｂにぶつかって背面部分６ａ側へと戻る。この結果、空気調整室１４内において大きな渦流が形成されることがない。また、加湿器２３を通過して湿度調整された空気が、再び蒸発器２１および加熱器２２の側まで逆流してしまうことがないので、温度および湿度の制御精度を向上させることができる。
【００３４】
(封鎖板の機能)
図３は封鎖板の機能を説明するための模式図である。図３（ａ）は空気調整室の内部の構成を模式的に示す斜視図である。図３（ｂ）は図３（ａ）を左右の中央位置で切断した概略縦断面図である。左側の図は封鎖板が取り付けられていない状態であり、右側の図は封鎖板が取り付けられている状態を示している。図中の矢印は空気の流れを示している。
【００３５】
図３（ｂ）の左側の図に示されるように、封鎖板２５がない場合には、加湿水槽３０と背面部分６ａとの間に形成されている空間Ａに空気が回り込んでしまうので、空気調整室１４内に気流の乱れが発生してしまう。
【００３６】
これに対して、空間Ａを上から封鎖する封鎖板２５が取り付けられた場合には、図３（ｂ）の右側の図に示されるように、空間Ａに空気が回り込んでしまうことがない。この結果、空気調整室１４内の気流の乱れを防止あるいは抑制することができるので、加湿器２３によって湿度を精度よく調整することができる。
【００３７】
（本形態の効果）
以上、本例によれば、左右の仕切り板２４ａ、２４ｂによって空気流路幅が加湿水槽３０の上端開口部３０ａの幅よりも絞られているので、温度調整後の空気を加湿水槽３０近傍に導いて十分に加湿することができる。
【００３８】
また、空気調整室１４内において背面部分６ａに衝突した後に左右の側面部分７ａ、８ａに沿って前面部分５ａ側に戻ろうとする空気の流れは、左右の仕切り板２４ａ、２４ｂによって阻まれる。従って、空気調整室１４内において大きな渦流が形成されることがなく、前面部分５ａから温度調整部および湿度調整部を経由して連通口１６に向かう空気の流れが乱されることが防止あるいは抑制される。この結果、温度調整後の空気が温度調整前の空気と入り混じってしまうことを抑制できる。
【００３９】
また、仕切り部材２４は、温度調整部を構成している蒸発器２１および加熱器２２と湿度調整部を構成している加湿器２３との間に設けられているので、湿度調整後の空気が背面部分６ａに衝突した後に側面部分７ａ、８ａに沿って逆流しようとすると、仕切り部材２４によってその逆流は阻止される。従って、湿度調整後の空気が温度調整部の側まで逆流して、温度および湿度調整前の空気と入り混じってしまうことを防止あるいは抑制できる。この結果、大風量の空気を供給する場合においても、温度および湿度の制御精度を良好に維持できる。
【００４０】
（仕切り部材の変形例）
図４は仕切り板の取り付け角度を変更した例を示す概略水平断面図である。図５は仕切り板の取り付け角度を変更した例を示す概略縦断面図である。図６、７は仕切り部材の形状を変更した例を示す概略斜視図である。
【００４１】
図４（ａ）では、各仕切り板２４ａ、２４ｂは、空気の流れ方向に直交する方向に対して下流側に傾斜するように取り付けられている。このようにすれば、各仕切り板２４ａ、２４ｂの前面部分５ａ側の傾斜した平面によって空気を空気流路の幅方向の内側に案内することができるので、温度調整後の空気が仕切り部材２４に正面衝突して空気調整室１４内の気流が乱れてしまうことを回避することができる。
【００４２】
図４（ｂ）では、各仕切り板２４ａ、２４ｂは空気の流れ方向に直交する方向に対して上流側に傾斜するように取り付けられている。このようにすれば、左右の側面部分７ａ、８ａに沿って逆流しようとする空気を、各仕切り板２４ａ、２４ｂの背面部分６ａ側の傾斜した平面によって、当該仕切り板２４ａ、２４ｂに正面衝突させることなく空気調整室１４の幅方向の中央へ導いて、背面部分６ａ側に戻すことができる。
【００４３】
図５（ａ）では、各仕切り板２４ａ、２４ｂは、上端が下端よりも空気の流れ方向の下流側に位置するように傾斜して取り付けられている。このようにすれば、各仕切り板２４ａ、２４ｂの前面部分５ａ側にある平面が傾斜しているので、温度調整後の空気が仕切り部材２４に正面衝突して空気調整室１４内の気流が乱れてしまうことを抑制できる。また、左右の側面部分７ａ、８ａに沿って逆流しようとする空気を、各仕切り板２４ａ、２４ｂの背面部分６ａ側の傾斜した平面によって底面１２ａ側に案内することができる。この結果、逆流した空気が加湿器２３の近傍を通過するので、十分な加湿を行うことができる。
【００４４】
図５（ｂ）では、各仕切り板２４ａ、２４ｂは、下端が上端よりも空気の流れ方向の下流側に位置するように傾斜して取り付けられている。このようにすれば、各仕切り板２４ａ、２４ｂの前面部分５ａ側にある平面が傾斜しているので、温度調整後の空気が仕切り部材２４に正面衝突して空気調整室１４内の気流が乱れてしまうことを抑制できる。また各仕切り板２４ａ、２４ｂの前面部分５ａ側にある傾斜した平面によって、温度調整後の空気が底面１２ａ側に向う流れができる。この結果、温度調整後の空気が加湿器２３の近傍を通過するので、十分な加湿を行うことができる。
【００４５】
さらに、図６に示す仕切り部材２４Ａのように、各仕切り板４１ａ、４１ｂの天井面１１ａ側の幅寸法を底面１２ａ側の幅寸法よりも長くすることにより、空気調整室１４内の空気流路幅の絞り量を、底面部分１２ｂ側よりも天井面１１ａ側の方を多くしてもよい。本例の空気調和機１のように、連通口１６が天井面１１ａの背面部分６ａ近傍の部位に形成されている場合には、背面部分６ａの天井部分１１ａ側の部位に衝突する空気の勢いが強くなるので、空気調整室１４の天井面１１ａ側において渦流が形成され易くなる。従って、空気調整室１４内の天井面１１ａ側の空気流路幅を絞ることにより、このような渦流の形成を効果的に抑止できる。また、天井面１１ａ側の空気流路幅が絞られているので、仕切り部材２４Ａを通過する空気は底面１２ａ側を通過する。この結果、温度調整後の空気が底面１２ａに設置されている加湿器２３の近傍を通過するので、十分な加湿が行われる。
【００４６】
次に、図７に示す仕切り部材２４Ｂのように、矩形平板形状の仕切り板２４ａ、２４ｂに換えて、三角柱形状の部材４２ａ、４２ｂを採用することもできる。この場合には、各部材４２ａ、４２ｂの一つの側面をそれぞれ側面部分７ａ、８ａに当接させて取り付けて、前面部分５ａ側に向いている側面４２ｃが空気の流れ方向に直交する方向に対して下流側に傾斜し、背面部分６ａ側に向いている側面４２ｄが空気の流れ方向に直交する方向に対して上流側に傾斜するようにしておくことができる。このようにすれば、空気吸込口２から吸い込まれた空気が仕切り部材２４Ｂに勢いよく正面衝突して気流が乱れてしまうことを回避することができる。また、左右の側面部分７ａ、８ａに沿って逆流しようとする空気を、仕切り板２４ａ、２４ｂに正面衝突させることなく空気調整室１４の幅方向の中央へ導いて、背面部分６ａ側に戻すことができる。
【００４７】
なお、上記の例では仕切り部材２４の各仕切り板２４ａ、２４ｂは底面１２ａから天井面１１ａに至る長さを備えていたが、底面１２ａ近傍から天井面１１ａ近傍に至る長さであっても渦流が形成されることを抑制することができる。また、仕切り板２４ａ、２４ｂは、左右の側面部分７ａ、８ａのうちの少なくとも一方の側面部分に沿って延びるように取り付けられていれば、空気調整室１４内の一方の側面部分側に大きな渦流が形成されることを抑制できる。
【００４８】
ここで、上記の空気調和機１では空気調整室１４から温度および湿度が調整された空気を吹き出す空気吹出口は連通口１６として上の区画板１１の背面部分６ａ近傍の部位に形成されていたが、空気吹出口が背板６に形成されている構成の空気調和機に本発明を適用することもできる。例えば、図８に示すように、送風機室１３を備えておらず、空気吹出口１６Ａの直前にプロペラファン２０Ａ等の送風機を設けた構成の空気調和機１Ａに適用することができる。
【００４９】
また、上記の空気調和機１は湿度調整部を備えていたが、温度調整部のみを搭載している空気調和機に本発明を適用することができる。この場合には、仕切り部材２４は温度調整部と連通口（空気吹出口）１６の間の空気通路幅を絞ることによって、温度調整された空気が背面部分６ａに衝突した後に再び温度調整部に戻り、調整前の空気と入り混じってしまうことを抑制することができる。
【図面の簡単な説明】
【００５０】
【図１】本発明を適用した空気調和機の斜視図である。
【図２】（ａ）は仕切り部を設ける前後における空気調整室の斜視図であり、（ｂ）は仕切り部を設ける前後における空気調整室の概略水平断面図である。
【図３】（ａ）は封鎖板を設ける前後における空気調整室の斜視図であり、（ｂ）は封鎖板を設ける前後における空気調整室の概略縦断面図である。
【図４】（ａ）、（ｂ）は仕切り板の取付け角度を変更した状態を示す概略水平断面図である。
【図５】（ａ）、（ｂ）は仕切り板の取付け角度を変更した状態を示す概略縦断面図である。
【図６】仕切り板の形状の変形例を示す概略斜視図である。
【図７】仕切り板に換えて三角柱形状の部材を採用した例を示す概略斜視図である。
【図８】空気吹出口が空気調整室の背面部に形成されている構成の空気調和機に本発明を適用した例である。
【符号の説明】
【００５１】
１、１Ａ  空気調和機
２  空気吸込口
３  空気供給口
４  筐体
５  前板
５ａ  前面部分
６  背板
６ａ  背面部分
７  、８  側板
７ａ、８ａ  側面部分
９  天井板
１０  底板
１１、１２  区画板
１１ａ  天井面
１２ａ  底面
１３  送風機室
１４  空気調整室
１５  機械室
１６  連通口（空気吹出口）
１６Ａ  空気吹出口
２０  シロッコファン
２１  蒸発器
２２  加熱器
２３  加湿器
２４、２４Ａ、２４Ｂ  仕切り部
２４ａ、２４ｂ、４１ａ、４１ｂ  仕切り板
２５  封鎖板
２６  制御装置
２９  温度湿度センサ
３０  加湿水槽
４２ａ、４２ｂ  三角柱形状の部材
４２ｃ、４２ｄ  三角柱形状の部材の側面
Ａ  加湿器と背面部との間の空間
【図１】
2009063241.tif 000003
【図２】
2009063241.tif 000004
【図３】
2009063241.tif 000005
【図４】
2009063241.tif 000006
【図５】
2009063241.tif 000007
【図６】
2009063241.tif 000008
【図７】
2009063241.tif 000009
【図８】
2009063241.tif 000010